(57)【要約】【課題】施工が簡単でありながら、付属部材を器具本体に取着し落下を防止する紐体などの部材が同付属部材を外したときに目立つことがなく、美麗な外観が確実に得られる照明器具への付属部材の取付構造を提供することにある。【解決手段】ランプが設けられる器具本体（１）があって、この器具本体（１）の照射側開口に取着されるルーバや透光性カバーなどの付属部材（２）を同器具本体（１）に取り付ける照明器具への付属部材の取付構造において、上記付属部材（２）の落下を防止する紐体（３）を同付属部材（２）に設けるとともに、この紐体（３）の先端におもり（４）を取り付けて、このおもり（４）を上記器具本体（１）の端部に設けられたエンドプレート（７）の上方部貫通穴（５）から外部へ通して垂れ下げるようになした。【選択図】    図１
2004342486.tif 000002
【特許請求の範囲】
【請求項１】
ランプが設けられる器具本体があって、この器具本体の照射側開口に取着されるルーバや透光性カバーなどの付属部材を同器具本体に取り付ける照明器具への付属部材の取付構造において、上記付属部材の落下を防止する紐体を同付属部材に設けるとともに、この紐体の先端におもりを取り付けて、このおもりを上記器具本体の端部に設けられたエンドプレートの上方部貫通穴から外部へ通して垂れ下げるようになしたことを特徴とする照明器具への付属部材の取付構造。
【請求項２】
ランプが設けられる器具本体があって、この器具本体の照射側開口に取着されるルーバや透光性カバーなどの付属部材を同器具本体に取り付ける照明器具への付属部材の取付構造において、上記付属部材の落下を防止する紐体を伸び縮み自在な弾性伸縮体を介して同付属部材に設けるとともに、この紐体の先端に本体引掛具を取り付けて、この本体引掛具を上記器具本体の端部に設けられたエンドプレートの一部に引っ掛けるようになしたことを特徴とする照明器具への付属部材の取付構造。
【請求項３】
上記弾性伸縮体が、バネまたは形状記憶合金のいずれか１種で形成されたものであることを特徴とする請求項２記載の照明器具への付属部材の取付構造。
【請求項４】
上記弾性伸縮体が配置されて取り付けられる取付部を上記付属部材の一部に形成されたことを特徴とする請求項２または請求項３記載の照明器具への付属部材の取付構造。
【発明の詳細な説明】
【０００１】
【発明の属する技術分野】
本発明は、照明器具への付属部材の取付構造に関し、具体的には、ランプが設けられる器具本体の照射側開口に取着されるルーバや透光性カバーなどの付属部材を器具本体に取り付けられる照明器具への付属部材の取付構造に関するものである。
【０００２】
【従来の技術】
従来の照明器具への付属部材の取付構造としては、例えば、図５の（ａ）および（ｂ）に示すごとく、ランプが設けられる器具本体（１）があって、この器具本体（１）の照射側開口に取着されるルーバや透光性カバーなどの付属部材（２）を同器具本体（１）に取り付けられるものであって、上記付属部材（２）の落下を防止する紐体（３）を同付属部材（２）に設けるとともに、この紐体（３）の先端に引っ掛けクリップ（１０）を取り付けて、この引っ掛けクリップ（１０）を上記器具本体（１）の上部に設けられた丸穴状の引掛穴（１１）に引っ掛けて取り付け固定されるようになしていたものが知られていた。
【０００３】
また、図６および図７に示すごとく、ランプが設けられる器具本体（１）があって、この器具本体（１）の照射側開口に取着されるルーバや透光性カバーなどの付属部材（２）を同器具本体（１）に取り付けられるものであって、上記付属部材（２）の落下を防止する紐体（３）を同付属部材（２）に設けるとともに、この紐体（３）の先端にクリップ状金具（１３）を取り付けて、このクリップ状金具（１３）を上記器具本体（１）の端部に設けられたエンドプレート（７）の下部角穴（１２）から外部へ通して垂らしていたものも知られていた。
【０００４】
さらに、下記の特許文献１に示されている実開平６−５６９１８号公報のようなものも知られていた。具体的には、図８の（ａ）および（ｂ）に示すごとく、器具本体（１）の下面の開口に取着されるルーバや透光性カバーなどの付属部材（２）を器具本体（１）に取り付ける装置であって、器具本体（１）の開口を囲み、ランプソケット（１６）が取着されるエンドプレート（７）の要所に形成した係止孔（１２）に挿入されて付属部材（２）を器具本体（１）に取着する係止片（１４）が付属部材（２）の周面の要所に突設され、一端部が付属部材（２）に結合され係止孔（１２）に挿通された紐体（３）の他端部に結合されることによって同紐体（３）を介して上記付属部材（２）を器具本体（１）に係留する係留体（１３）が設けられ、この係留体（１３）は係止孔（１２）への係止片（１４）の挿入時に同係止片（１４）に接触しない形状に形成されていたものであった。そして、この場合、上記係留体（１３）は、上記エンドプレート（７）に固着された略コ形状の位置決め金具（１７）の両脚片の間に配設されるような工夫がなされていてもかまわないし、あるいは、上記係止片（１４）は、金属板を折曲して形成され、上記付属部材（２）の上面の周部に固着した固定具（１５）に固着されているような工夫がなされていてもかまわないものであった。
【０００５】
【特許文献１】
実開平６−５６９１８号公報
【０００６】
【発明が解決しようとする課題】
しかしながら、このような従来の照明器具への付属部材の取付構造においては、まず、図５の（ａ）および（ｂ）に示す場合であると、器具本体（１）の上部に設けられた丸穴状の引掛穴（１１）に引っ掛けクリップ（１０）を引っ掛けるだけの簡単な施工で、付属部材（２）を器具本体（１）に取着し落下を防止することができるものの、引っ掛けクリップ（１０）や同引っ掛けクリップ（１０）を取り付けている紐体（３）などの部材がだらりと垂れている様子が器具本体（１）外から直接見えてしまうものであり、結果として、外観を損ねてしまうものであった。
【０００７】
また、図６および図７に示す場合であると、紐体（３）の先端に取り付けられたクリップ状金具（１３）をエンドプレート（７）の下部角穴（１２）から外部へ通して垂らすだけの簡単な施工で、付属部材（２）を器具本体（１）に仮吊りのようにして取着し、急な落下は防止することができるものの、この場合は完全に落下を防止することはできないものであり、しかも、クリップ状金具（１３）や同クリップ状金具（１３）を取り付けている紐体（３）などの部材がだらりと垂れている様子が器具本体（１）外から直接見えてしまうものであり、依然として、外観を損ねてしまうものであった。
【０００８】
そして、図８の（ａ）および（ｂ）に示す場合であると、付属部材（２）を器具本体（１）に取着し落下を防止する紐体（３）などの部材がだらりと垂れることはなくて、また、同付属部材（２）を外したときに目立つこともなく、その結果、美麗な外観が確実に得られるものの、紐体（３）を付属部材（２）の上面の周部に固着した固定具（１５）に取り付けたり、この紐体（３）の先端に係留体（１３）を設けたりして、しかも、係止孔（１２）への係止片（１４）の挿入を行いながら、器具本体（１）のエンドプレート（７）に付属部材（２）を取り付けるようにしなければならず、現場での施工としてはかなり面倒なものであった。
【０００９】
本発明は、上述の問題を解決するためになされたものであって、その目的とするところは、施工が簡単でありながら、付属部材を器具本体に取着し落下を防止する紐体などの部材が目立つことがなく、美麗な外観が確実に得られる照明器具への付属部材の取付構造を提供するものである。
【００１０】
【課題を解決するための手段】
本発明の請求項１に係る照明器具への付属部材の取付構造は、ランプが設けられる器具本体（１）があって、この器具本体（１）の照射側開口に取着されるルーバや透光性カバーなどの付属部材（２）を同器具本体（１）に取り付ける照明器具への付属部材の取付構造において、上記付属部材（２）の落下を防止する紐体（３）を同付属部材（２）に設けるとともに、この紐体（３）の先端におもり（４）を取り付けて、このおもり（４）を上記器具本体（１）の端部に設けられたエンドプレート（７）の上方部貫通穴（５）から外部へ通して垂れ下げるようになしたことを特徴とする。
【００１１】
本発明の請求項２に係る照明器具への付属部材の取付構造は、ランプが設けられる器具本体（１）があって、この器具本体（１）の照射側開口に取着されるルーバや透光性カバーなどの付属部材（２）を同器具本体（１）に取り付ける照明器具への付属部材の取付構造において、上記付属部材（２）の落下を防止する紐体（３）を伸び縮み自在な弾性伸縮体（８）を介して同付属部材（２）に設けるとともに、この紐体（３）の先端に本体引掛具（９）を取り付けて、この本体引掛具（９）を上記器具本体（１）の端部に設けられたエンドプレート（７）の一部に引っ掛けるようになしたことを特徴とする。
【００１２】
本発明の請求項３に係る照明器具への付属部材の取付構造は、上記弾性伸縮体（８）が、バネまたは形状記憶合金のいずれか１種で形成されたものであることを特徴とする。
【００１３】
本発明の請求項４に係る照明器具への付属部材の取付構造は、上記弾性伸縮体（８）が配置されて取り付けられる取付部（１８）を上記付属部材（２）の一部に形成されたことを特徴とする。
【００１４】
【発明の実施の形態】
以下、本発明を実施形態に係る図面に基づいて詳しく説明する。
【００１５】
図１は、本発明の一実施形態に係る照明器具への付属部材の取付構造を示した要部のみの断面図である。図２は、図１の照明器具への付属部材の取付構造を示した要部のみの斜視図である。図３は、図１の照明器具への付属部材の取付構造を示した分解斜視図である。図４は、本発明の他の一実施形態に係る照明器具への付属部材の取付構造を示した要部のみの概略図である。
【００１６】
本発明の照明器具への付属部材の取付構造は、図１ないし図３に示すごとく、ランプが設けられる器具本体（１）があって、この器具本体（１）の照射側開口に取着されるルーバや透光性カバーなどの付属部材（２）を同器具本体（１）に取り付ける照明器具への付属部材の取付構造において、上記付属部材（２）の落下を防止する紐体（３）を同付属部材（２）に設けるとともに、この紐体（３）の先端におもり（４）を取り付けて、このおもり（４）を上記器具本体（１）の端部に設けられたエンドプレート（７）の上方部貫通穴（５）から外部へ通して垂れ下げるようになしているものである。
【００１７】
上記器具本体（１）は、その内部にソケット台やソケットなどが設けられて、このソケットに取り付けられる蛍光灯などのランプが設けられるものである。この器具本体（１）の形状としては、図１ないし図３に示すごとき長尺な直方体状のものに限られず、取り付けられるランプの形状などに応じて、自由自在に設定することができるものである。この器具本体（１）の材質としては、通常金属製のものが採用されるものであるが、その内部にランプが取り付けられて、取付状態を維持することができる強度のものであれば、樹脂製のものなど様々な材質のものを採用することができるものである。
【００１８】
上記付属部材（２）としては、図１および図３に示すごとく、上記器具本体（１）の照射側開口に取着されているものである。この付属部材（２）としては、例えば、同図に示すごとき複数のルーバ羽（６）を有するルーバであってもかまわないし、それ以外にも、透光性カバーなどが採用されてもかまわないものである。
【００１９】
上記紐体（３）は、上記付属部材（２）の落下を防止するものである。この紐体（３）は、図１および図２に示すごとく、垂れ下げるようにして用いられるものである。そして、この紐体（３）の先端におもり（４）が取り付けられるものであり、同紐体（３）の材質や太さなどのサイズとしては、上記おもり（４）が取り付けられて取付状態を維持することができる強度を有するものであれば、特に制限されるものではないものである。このおもり（４）が取り付けられていることによって、上記紐体（３）は、垂れ下がるようになるものである。なお、この紐体（３）の長さは、同図に示すごとき垂れ下がっても上記器具本体（１）に納まる程度のものとなっている。
【００２０】
本発明では、図１および図２に示すごとく、上記おもり（４）を上記器具本体（１）の端部に設けられたエンドプレート（７）の上方部貫通穴（５）から外部へ通して垂れ下げるようになしているものである。上述したように上記紐体（３）は、上記器具本体（１）に納まる程度のものとなっており、上記エンドプレート（７）の上方部貫通穴（５）の設けられる位置に応じて、若干長さを自由に設定することができるようになっているものである。
【００２１】
本発明は、このような構成をとることによって、ルーバや透光性カバーなどの付属部材（２）の先端には紐体（３）を介しておもり（４）を取り付けて、このおもり（４）を器具本体（１）の端部に設けられたエンドプレート（７）の上方部貫通穴（５）の内側から外側へ通して、おもり（４）が器具本体（１）外で垂れ下がることにより、紐体（３）に器具本体（１）に向かっての張力がかかる構造となり、このようにしておもり（４）を垂れ下げるだけであるために、現場での施工としては非常に簡単で、しかも、おもり（４）の重さで器具本体（１）外面に沿った垂れ下がりとなるので、紐体（３）などのたるみがなく、紐体（３）などが器具本体（１）外から直接見えにくいものとなり、紐体（３）などの部材が目立つことはなく、その結果、美麗な外観を確実に得ることができるものである。
【００２２】
すなわち、本発明は、施工が簡単でありながら、付属部材（２）を器具本体（１）に取着し落下を防止する紐体（３）などの部材が目立つことがなく、美麗な外観が確実に得られるものである。
【００２３】
また、本発明の照明器具への付属部材の取付構造としては、図４に示すごとく、ランプが設けられる器具本体（１）があって、この器具本体（１）の照射側開口に取着されるルーバや透光性カバーなどの付属部材（２）を同器具本体（１）に取り付ける照明器具への付属部材の取付構造において、上記付属部材（２）の落下を防止する紐体（３）を伸び縮み自在な弾性伸縮体（８）を介して同付属部材（２）に設けるとともに、この紐体（３）の先端に本体引掛具（９）を取り付けて、この本体引掛具（９）を上記器具本体（１）の端部に設けられたエンドプレート（７）の一部に引っ掛けるようになしたものであってもかまわないものである。
【００２４】
上記付属部材（２）としては、上述した図１ないし図３に示す場合と同様に、複数のルーバ羽を有するルーバや透光性カバーなどが採用されるものである。また、上記器具本体（１）や上記紐体（３）としても、上述した図１ないし図３に示す場合と同様のものである。
【００２５】
上記弾性伸縮体（８）は、伸び縮み自在なものであって、上記紐体（３）と上記付属部材（２）との間に介在されているものである。この弾性伸縮体（８）は、付属部材（２）に設けられているものである。この弾性伸縮体（８）は、伸び縮み自在なものであれば、制限されることなく採用されるものであるが、特に、図４に示すごとく、上記弾性伸縮体（８）が、バネまたは形状記憶合金のいずれか１種で形成されたものであると、同弾性伸縮体（８）としての伸び縮みをより一層確実に行うことができるものであり、同弾性伸縮体（８）の確実な伸び縮みで、紐体（３）に器具本体（１）に向かっての張力がより一層確実にかかるものとなり、結果として、付属部材（２）を器具本体（１）に取着し落下をより一層確実に防止することができるものとなる。
【００２６】
上記本体引掛具（９）は、図４に示すごとく、上記紐体（３）の先端に取り付けられたものである。この本体引掛具（９）としては、通常金属製のものが採用されるものであるが、上記付属部材（２）を支持することができる強度を有するものであれば、樹脂製のものなどその他の材質のものが採用されたとしてもかまわないものである。そして、本発明では、この本体引掛具（９）を上記器具本体（１）の端部に設けられたエンドプレート（７）の一部に引っ掛けるようになしているものである。例えば、同図に示すごときこのエンドプレート（７）の一部に上記本体引掛具（９）が引っ掛かるように、同エンドプレート（７）に引掛穴が形成されているなどの工夫がなされているものである。
【００２７】
本発明は、このような構成をとることによって、ルーバや透光性カバーなどの付属部材（２）の一部には伸び縮み自在な弾性伸縮体（８）を介して付属部材（２）の落下を防止する紐体（３）を取り付けて、この紐体（３）の先端に本体引掛具（９）を取り付けることで、この本体引掛具（９）にて器具本体（１）の端部に設けられたエンドプレート（７）の一部に引っ掛けるようにすることができ、紐体（３）に器具本体（１）に向かっての張力がかかる構造となり、このようにして紐体（３）に本体引掛具（９）を取り付けてエンドプレート（７）の一部に引っ掛けるだけであるので、現場での施工としては非常に簡単で、しかも、付属部材（２）の一部に紐体（３）や弾性伸縮体（８）が納まるので、収納スペースは少なくて済み、紐体（３）などが器具本体（１）外から全く見えないものとなり、紐体（３）などの部材が目立つことはなく、その結果、美麗な外観を確実に得ることができるものである。
【００２８】
すなわち、本発明は、施工が簡単でありながら、付属部材（２）を器具本体（１）に取着し落下を防止する紐体（３）などの部材が目立つことがなく、美麗な外観が確実に得られるものである。
【００２９】
そして、図４に示すごとく、上記弾性伸縮体（８）が配置されて取り付けられる取付部（１８）を上記付属部材（２）の一部に形成されているものであると、弾性伸縮体（８）と同弾性伸縮体（８）を介して取り付けられる紐体（３）が付属部材（２）の一部に形成されている取付部（１８）に納まり、取付および収納スペースが確実に付属部材（２）の一部に納まって、紐体（３）などが器具本体（１）外から全く見えないものとなり、紐体（３）などの部材がより一層確実に目立つことはなく、その結果、美麗な外観をより一層確実に得ることができるものとなる。
【００３０】
【発明の効果】
本発明の請求項１に係る照明器具への付属部材の取付構造によると、ルーバや透光性カバーなどの付属部材（２）の先端には紐体（３）を介しておもり（４）を取り付けて、このおもり（４）を器具本体（１）の端部に設けられたエンドプレート（７）の上方部貫通穴（５）の内側から外側へ通して、おもり（４）が器具本体（１）外で垂れ下がることにより、紐体（３）に器具本体（１）に向かっての張力がかかる構造となり、このようにしておもり（４）を垂れ下げるだけであるために、現場での施工としては非常に簡単で、しかも、おもり（４）の重さで器具本体（１）外面に沿った垂れ下がりとなるので、紐体（３）などのたるみがなく、紐体（３）などが器具本体（１）外から直接見えにくいものとなり、紐体（３）などの部材が目立つことはなく、その結果、美麗な外観を確実に得ることができるものである。
【００３１】
すなわち、本発明は、施工が簡単でありながら、付属部材（２）を器具本体（１）に取着し落下を防止する紐体（３）などの部材が目立つことがなく、美麗な外観が確実に得られるものである。
【００３２】
本発明の請求項２に係る照明器具への付属部材の取付構造によると、ルーバや透光性カバーなどの付属部材（２）の一部には伸び縮み自在な弾性伸縮体（８）を介して付属部材（２）の落下を防止する紐体（３）を取り付けて、この紐体（３）の先端に本体引掛具（９）を取り付けることで、この本体引掛具（９）にて器具本体（１）の端部に設けられたエンドプレート（７）の一部に引っ掛けるようにすることができ、紐体（３）に器具本体（１）に向かっての張力がかかる構造となり、このようにして紐体（３）に本体引掛具（９）を取り付けてエンドプレート（７）の一部に引っ掛けるだけであるので、現場での施工としては非常に簡単で、しかも、付属部材（２）の一部に紐体（３）や弾性伸縮体（８）が納まるので、収納スペースは少なくて済み、紐体（３）などが器具本体（１）外から全く見えないものとなり、紐体（３）などの部材が目立つことはなく、その結果、美麗な外観が確実に得ることができるものである。
【００３３】
すなわち、本発明は、施工が簡単でありながら、付属部材（２）を器具本体（１）に取着し落下を防止する紐体（３）などの部材が目立つことがなく、美麗な外観を確実に得られるものである。
【００３４】
本発明の請求項３に係る照明器具への付属部材の取付構造によると、請求項２記載の場合に加えて、弾性伸縮体（８）としての伸び縮みをより一層確実に行うことができるものであり、同弾性伸縮体（８）の確実な伸び縮みで、紐体（３）に器具本体（１）に向かっての張力がより一層確実にかかるものとなり、結果として、付属部材（２）を器具本体（１）に取着し落下をより一層確実に防止することができるものとなる。
【００３５】
本発明の請求項４に係る照明器具への付属部材の取付構造によると、請求項２または請求項３記載の場合に加えて、弾性伸縮体（８）と同弾性伸縮体（８）を介して取り付けられる紐体（３）が付属部材（２）の一部に形成されている取付部（１８）に納まり、取付および収納スペースが確実に付属部材（２）の一部に納まって、紐体（３）などが器具本体（１）外から全く見えないものとなり、紐体（３）などの部材がより一層確実に目立つことはなく、その結果、美麗な外観をより一層確実に得ることができるものとなる。
【図面の簡単な説明】
【図１】本発明の一実施形態に係る照明器具への付属部材の取付構造を示した要部のみの断面図である。
【図２】図１の照明器具への付属部材の取付構造を示した要部のみの斜視図である。
【図３】図１の照明器具への付属部材の取付構造を示した分解斜視図である。
【図４】本発明の他の一実施形態に係る照明器具への付属部材の取付構造を示した要部のみの概略図である。
【図５】（ａ）は、一従来例に係る照明器具への付属部材の取付構造を示した要部のみの側面図であり、（ｂ）は、（ａ）とは違う方向から見た側面図である。
【図６】他の一従来例に係る照明器具への付属部材の取付構造を示した側面図である。
【図７】図６の照明器具への付属部材の取付構造とは違う方向から見た要部のみの側面図である。
【図８】（ａ）は、さらに他の一従来例に係る照明器具への付属部材の取付構造を示した要部のみの分解斜視図であり、（ｂ）は、（ａ）の照明器具への付属部材の取付構造において、さらに要部のみを取り出して示した断面図である。
【符号の説明】
１    器具本体
２    付属部材
３    紐体
４    おもり
５    上方部貫通穴
７    エンドプレート
８    弾性伸縮体
９    本体引掛具
１８  取付部
【図１】
2004342486.tif 000003
【図２】
2004342486.tif 000004
【図３】
2004342486.tif 000005
【図４】
2004342486.tif 000006
【図５】
2004342486.tif 000007
【図６】
2004342486.tif 000008
【図７】
2004342486.tif 000009
【図８】
2004342486.tif 000010